(57)【要約】【課題】高速目標が小目標であっても、その小目標を確実に検出し、目標検出性能を向上させることができる目標検出装置。【解決手段】入力された受信信号を短時間フーリエ変換により時間−周波数軸上の信号に変換する短時間フーリエ変換部１と、短時間フーリエ変換部で変換された時間−周波数軸上の信号の極大値を抽出する極大値抽出部２と、極大値抽出部で抽出された極大値に対し、極大値の時間軸方向の所定範囲に存在するセルの信号を加算することにより該極大値を強調する積分部３と、積分部において強調された極大値の時間軸方向および周波数軸方向の所定範囲に存在するセルの信号に基づいて算出されたスレッショルドまたは予め決定された固定のスレッショルドを超えたかどうかを判断する判断手段４と、判断手段による判断結果に基づき目標を検出する検出部５を備える。【選択図】図１
2008256409.tif 000002
【特許請求の範囲】
【請求項１】
入力された受信信号を短時間フーリエ変換により時間−周波数軸上の信号に変換する短時間フーリエ変換部と、
前記短時間フーリエ変換部により変換された時間−周波数軸上の信号の極大値を抽出する極大値抽出部と、
前記極大値抽出部で抽出された極大値に対し、該極大値の時間軸方向の所定範囲に存在するセルの信号を加算することにより該極大値を強調する積分部と、
前記積分部において強調された極大値の時間軸方向および周波数軸方向の所定範囲に存在するセルの信号に基づいて算出されたスレッショルドまたは予め決定された固定のスレッショルドを超えたかどうかを判断する判断手段と、
前記判断手段による判断結果に基づき目標を検出する検出部と、
を備えたことを特徴とする目標検出装置。
【請求項２】
前記短時間フーリエ変換部により変換された時間−周波数軸上の信号を合成することにより強調された時間−周波数軸上の信号を生成する強調部を備え、
前記極大値抽出部は、前記強調部において強調された時間−周波数軸上の信号の極大値を抽出することを特徴とする請求項１記載の目標検出装置。
【請求項３】
前記検出部で検出された目標に対して、前記極大値抽出部で抽出された極大値の時間軸方向の所定範囲に存在するセルの信号、または、前記極大値抽出部で抽出された極大値の時間軸方向の所定範囲に存在するセルの信号のうちの所定のスレッショルドを超えている信号を用いて重心距離演算を実施することにより目標までの距離を算出する距離算出部
を備えたことを特徴とする請求項１記載の目標検出装置。
【発明の詳細な説明】
【技術分野】
【０００１】
本発明は、例えばレーダ装置に適用され、受信信号から目標を検出する目標検出装置に関し、特に時間−周波数軸上で目標を検出する技術に関する。
【背景技術】
【０００２】
従来、例えば目標を検出して追尾するレーダ装置に適用され、送信したパルス信号が目標で反射された反射波を受信し、受信した反射波を電気信号に変換して受信信号を生成し、受信信号に信号処理を施すことにより目標を検出する目標検出装置が知られている。このような目標検出装置では、複数の反射波（ヒット）を受信することにより得られた受信信号を積分することによりＳＮ比（信号対熱雑音電力比）を向上させることが行われている。
【０００３】
しかしながら、高速で動く目標（以下、「高速目標」という）や、距離分解能に対して速度が早い目標（換言すれば、高レンジ分解能の目標検出装置）に対しては、複数ヒットを送受信することにより得られた信号は、目標のレンジ方向のずれを含み、積分できるヒット数に上限がある。すなわち、レンジウォークによる積分損失が発生する。従って、積分によるＳＮ比の向上にも限界があり、目標の検出性能が劣るという問題があった。
【０００４】
このような問題に対処するために、目標のレンジ方向のずれが発生した場合のような短時間しか出現しない目標を、短時間フーリエ変換（以下、「ＳＴＦＴ：Short Time Fourier Transform」という）を用いて検出する目標検出装置が開発されている。
【０００５】
図９は、このような従来の目標検出装置の構成を示すブロック図である。この目標検出装置は、ＳＴＦＴ部１、一定誤警報率（以下、「ＣＦＡＲ：Constant False Alarm Rate」という）部４、検出部５および距離演算部６から構成されている。
【０００６】
この目標検出装置は、以下のように動作する。すなわち、反射波をアンテナ（図示しない）で受信することにより得られた受信信号は、ＳＴＦＴ部１に送られる。ＳＴＦＴ部１は、受信信号を短時間フーリエ変換により時間−周波数軸上の信号に変換する。短時間フーリエ変換については、例えば非特許文献１に説明されている。このＳＴＦＴ部１における短時間フーリエ変換によって得られた時間−周波数軸上の信号は、ＣＦＡＲ部４に送られる。
【０００７】
ＣＦＡＲ部４は、ＳＴＦＴ部１から送られてくる時間−周波数軸上の信号の中の注目信号の周辺の信号レベルからスレッショルドレベルを算出し、算出したスレッショルドレベルと注目信号とを比較して目標の有無を判断し、誤警報確率を一定の低さに抑えた信号を生成する。ＣＦＡＲ処理については、例えば非特許文献２に詳細に説明されているが、以下において、簡単に説明する。
【０００８】
図１０は、ＣＦＡＲ部４の一例として、相加平均で規格化を行うリニアＣＦＡＲ部の構成を示すブロック図である。このＣＦＡＲ部４は、遅延回路４１、加算部４２、平均化処理部４３および除算部４４から構成されている。
【０００９】
遅延回路４１は、入力された信号ｘｉを遅延させた後、加算部４２および除算部４４に送る。加算部４２は、一定期間に遅延回路４１から送られてくるＮ個のデータを加算し、平均化処理部４３に送る。平均化処理部４３は、加算部４２から送られてくるＮ個のデータの平均値を算出し、除算部４４に送る。除算部４４は、遅延回路４１から送られてくるデータを平均値で除算して出力する。この除算部４４の出力が、ＣＦＡＲ部４の出力として検出部５に送られる。なお、ＣＦＡＲ部４は、相乗平均で規格化を行う対数ＣＦＡＲ部によって実現される場合もある。
【００１０】
検出部５は、ＣＦＡＲ部４から送られてくる信号に基づいて目標を検出する。この検出部５において検出された目標を表す信号は、距離演算部６に送られる。距離演算部６は、検出部５から送られてくる目標を表す信号に基づき目標までの距離を算出する。この距離演算部６において算出された目標までの距離を表す信号が、目標検出装置の出力として、外部に出力される。
【非特許文献１】榊原、“ウェーブレットビギナーズガイド”、東京電機大学出版局、ｐｐ．２３−２４（１９９５）
【非特許文献２】関根、“レーダ信号処理技術”、電子情報通信学会、ｐｐ．９６−１０６（１９９１）
【発明の開示】
【発明が解決しようとする課題】
【００１１】
しかしながら、上述した従来の短時間フーリエ変換を用いた目標検出装置では、高速目標が小目標である場合は、ＳＮ比が小さくて、目標を検出できない場合があるという問題がある。
【００１２】
本発明は、上述した問題を解消するためになされたものであり、高速目標が小目標であっても、その小目標を確実に検出し、目標検出性能を向上させることができる目標検出装置を提供することにある。
【課題を解決するための手段】
【００１３】
請求項１記載の発明は、上述した課題を達成するために、入力された受信信号を短時間フーリエ変換により時間−周波数軸上の信号に変換する短時間フーリエ変換部と、短時間フーリエ変換部により変換された時間−周波数軸上の信号の極大値を抽出する極大値抽出部と、極大値抽出部で抽出された極大値に対し、該極大値の時間軸方向の所定範囲に存在するセルの信号を加算することにより該極大値を強調する積分部と、積分部において強調された極大値の時間軸方向および周波数軸方向の所定範囲に存在するセルの信号に基づいて算出されたスレッショルドまたは予め決定された固定のスレッショルドを超えたかどうかを判断する判断手段と、判断手段による判断結果に基づき目標を検出する検出部を備えたことを特徴とする。
【００１４】
また、請求項２記載の発明は、請求項１記載の発明において、短時間フーリエ変換部により変換された時間−周波数軸上の信号を合成することにより強調された時間−周波数軸上の信号を生成する強調部を備え、極大値抽出部は、強調部において強調された時間−周波数軸上の信号の極大値を抽出することを特徴とする。
【００１５】
また、請求項３記載の発明は、請求項１記載の発明において、検出部で検出された目標に対して、極大値抽出部で抽出された極大値の時間軸方向の所定範囲に存在するセルの信号、または、極大値抽出部で抽出された極大値の時間軸方向の所定範囲に存在するセルの信号のうちの所定のスレッショルドを超えている信号を用いて重心距離演算を実施することにより目標までの距離を算出する距離算出部を備えたことを特徴とする。
【発明の効果】
【００１６】
請求項１記載の発明によれば、短時間フーリエ変換により得られる信号の極大値の時間軸方向の所定範囲に存在するセルの信号が、周波数軸上でほぼ同じ周波数になって時間軸上に並ぶため、時間軸上の信号を積分して強調することにより、レンジウォークによる積分損失を低減し、高速目標が小目標であっても、その小目標を確実に検出し、目標検出性能を向上させることができる。
【００１７】
また、請求項２記載の発明によれば、短時間フーリエ変換部における変換によって得られた時間−周波数軸上の信号を合成することにより強調された時間−周波数軸上の信号を生成して極大値抽出部に与えるので、請求項１記載の発明よりさらに目標検出性能を向上させることができる。
【００１８】
また、請求項３記載の発明によれば、極大値抽出部で抽出された極大値の時間軸方向の所定範囲に存在するセルの信号、または、極大値抽出部で抽出された極大値の時間軸方向の所定範囲に存在するセルの信号のうちの所定のスレッショルドを超えている信号を用いて重心距離演算を実施するので、目標の距離精度を上げることができ、レンジ分解能より高い精度で、目標までの距離を算出できる。
【発明を実施するための最良の形態】
【００１９】
以下、本発明の実施の形態を、図面を参照しながら詳細に説明する。なお、以下では、背景技術の欄で説明した従来の目標検出装置の構成要素と同じ構成要素には、従来の目標検出装置の構成要素に付した符号と同一の符号を付して説明する。
【実施例１】
【００２０】
図１は、本発明の実施例１に係る目標検出装置の構成を示すブロック図である。この目標検出装置は、ＳＴＦＴ部１、極大値抽出部２、積分部３、ＣＦＡＲ部４および検出部５から構成されている。
【００２１】
ＳＴＦＴ部１は、外部から送られてくる受信信号（時間領域の信号）を、短時間フーリエ変換によって時間−周波数軸上の信号に変換する。このＳＴＦＴ部１における短時間フーリエ変換によって得られた時間−周波数軸上の信号は、極大値抽出部２に送られる。
【００２２】
極大値抽出部２は、ＳＴＦＴ部１から送られてくる時間−周波数軸上の信号から、最大値からＰ番目（Ｐは正の整数）までのＰ個の極大値を抽出する。この極大値抽出部２で抽出されたＰ個の極大値は、積分部３に送られる。
【００２３】
積分部３は、極大値抽出部２から送られてくる時間−周波数軸上のＰ個の極大値の各々について、極大値の時間軸方向の前方に存在するＭ個（Ｍは正の整数）および後方に存在するＭ個のセルの信号を極大値に加算して積分を行うことにより強調された極大値を生成する。この積分部３で生成された強調された極大値は、ＣＦＡＲ部４に送られる。
【００２４】
ＣＦＡＲ部４は、本発明の判断手段に対応する。このＣＦＡＲ部４は、背景技術の欄で詳細を説明したように、積分部３から送られてくる時間−周波数軸上の信号の中の注目信号の周辺の信号レベルからスレッショルドレベルを算出し、算出したスレッショルドレベルと注目信号とを比較して目標の有無を判断し、誤警報確率を一定の低さに抑えた信号を生成する。ＣＦＡＲ部４で生成された信号は、検出部５に送られる。
【００２５】
検出部５は、ＣＦＡＲ部４から送られてくる信号に基づいて目標を検出する。この検出部５において検出された目標を表す信号は、目標検出装置で検出された目標信号として、外部に出力される。
【００２６】
次に、上記のように構成される本発明の実施例１に係る目標検出装置の動作を説明する。ＳＴＦＴ部１へ入力される受信信号は、図２（ａ）に示すような、レンジセルデータから構成されている。距離分解能に比べて高速で移動する目標の場合には、各レンジセルのデータを積分しようとすると、図２（ａ）に示すように、レンジセルから少しずつずれるため、ＰＲＩ（Pulse Repetition Interval；パルス繰り返し周期）毎に得られるＰＲＩデータは、図２（ｂ）に示すように、短時間しか出現しないことになる。
【００２７】
この受信信号に基づく目標の動きをＰＲＩ−レンジ軸上で表現すると、図３（ａ）に示すような斜めのデータＴになる。このデータＴの傾きは、目標速度やＰＲＩにより決まる。ＳＴＦＴ部１は、このような受信信号に対してレンジセル毎に短時間フーリエ変換を施す。これにより、入力された受信信号が、図３（ｂ）〜図３（ｄ）に示すように、時間−周波数軸上の信号に変換され、極大値抽出部２に送られる。
【００２８】
受信信号に目標が含まれる場合は、数レンジセルにわたってその目標を表す信号が検出される。この場合、目標の速度がほぼ一定とすると、図３（ｂ）〜図３（ｄ）に示すように、周波数（速度）軸上の値は同じになり、時間軸（ＰＲＩ軸）の異なる位置に目標を表す信号が出現する。
【００２９】
受信信号に複数の目標が含まれる場合は、その目標を表す信号が複数出現するので、極大値抽出部２は、ＳＴＦＴ部１から送られてくる時間−周波数軸上の信号から極大値を抽出し、積分部３に送る。
【００３０】
積分部３は、最大値からＰ番目までの極大値の各々について、時間−周波数軸上の極大値の周りの時間軸方向の所定範囲のセルの信号、具体的には極大値の前方のＭ個のセルの信号および後方のＭ個のセルの信号を極大値に加算して積分し、図３（ｅ）に示すように、極大値の信号を強調する。この積分部３で実行される処理の様子を図４に示す。積分部３で算出された、時間−周波数軸上の強調された信号は、ＣＦＡＲ部４に送られる。
【００３１】
ＣＦＡＲ部４は、積分部３から送られてくる強調された時間−周波数軸上の信号に対して、図５に示すように、強調された極大値の周りのＮｔ×Ｎｆセル（本発明の「時間軸方向および周波数軸方向の所定範囲に存在するセル」に対応する）で、ＣＦＡＲ処理を実行し、このＣＦＡＲ処理によってスレッショルドを越えた場合に、その強調された極大値を検出部５に送る。
【００３２】
検出部５は、ＣＦＡＲ部４から送られてきた強調された極大値を目標として検出する。そして、以上の処理をＰ個の極大値について実施することにより、単数または複数の目標を検出し、目標信号として出力する。
【００３３】
なお、極大値の周りの時間軸方向の所定範囲のセルの信号を該極大値に加算して積分する場合、検波した後に積分する手法が基本となるが、位相を含めたコヒーレント積分であるために、フーリエ変換を用いて、周波数バンクの最大値を用いるように構成することができる。
【００３４】
また、本発明の判断手段としてＣＦＡＲ部４を用い、目標を検出するために、ＣＦＡＲ処理によって決定されるスレッショルドを用いたが、スレッショルドを決める際は、ＣＦＡＲ処理の代わりに、Ｎｔ×Ｎｆセルの熱雑音の平均値や固定のスレッショルド等を用いるように構成することもできる。
【００３５】
さらに、実施例１に係る目標検出装置は、図６に示すように、ＳＴＦＴ部１と極大値抽出部２との間に強調部８を追加するように変形することもできる。強調部８は、上述した積分部３と同様に、ＳＴＦＴ部１から送られてくる時間−周波数軸上の信号を積分によって合成することにより強調された時間−周波数軸上の信号を生成し、極大値抽出部２に送る。この構成によれば、さらに目標検出性能を向上させることができる。
【実施例２】
【００３６】
本発明の実施例２に係る目標検出装置は、実施例１に係る目標検出装置で検出された目標信号に対して、目標までの距離を高い精度で算出するようにしたものである。
【００３７】
図７は、本発明の実施例２に係る目標検出装置の構成を示すブロック図である。この目標検出装置は、実施例１に係る目標検出装置に、重心距離演算部７が追加されて構成されている。
【００３８】
重心距離演算部７は、極大値毎に複数レンジで出現した信号、つまり時間−周波数軸上の極大値の周りの時間軸方向の所定範囲のセルの信号（極大値の前方のＭ個のセルの信号および後方のＭ個のセルの信号）について、下記（１）式により、距離を算出する。この重心距離演算により、レンジセル単位に求められる距離以上に、距離精度を高めることができる。この重心距離演算の様子を図８に示す。
【数１】
2008256409.tif 000003
【００３９】
ここで、
Ｒｍ；  ｍセルの距離（ｍ＝１〜Ｍ）
Ａｍ；  ｍセルの振幅（ｍ＝１〜Ｍ）
なお、重心距離演算部７においては、極大値の周りの時間軸方向の２Ｍ＋１個の信号すべてを用いなくても、例えば、２Ｍ＋１個のうち、所定のスレッショルドを越えた信号のみを用いて、重心距離演算を行うように構成することもできる。この構成によれば、ノイズなどを排除して距離を計算できるので、より正確な距離を求めることができる。
【００４０】
また、本発明に係る目標検出装置は、実施例１または実施例２に係る目標検出装置に、ＭＴＩ（移動目標検出；Moving Target Indicator）やパルス圧縮等の技術を組み合わせて構成することもできる。
【産業上の利用可能性】
【００４１】
本発明に係る目標検出装置は、目標を検出および／または追尾するレーダ装置や受信装置に利用可能である。
【図面の簡単な説明】
【００４２】
【図１】本発明の実施例１に係る目標検出装置の構成を示すブロック図である。
【図２】本発明の実施例１に係る目標検出装置に入力される受信信号を示す図である。
【図３】本発明の実施例１に係る目標検出装置で実行されるＳＴＦＴ処理を説明するための図である。
【図４】本発明の実施例１に係る目標検出装置で実行される積分処理を説明するための図である。
【図５】本発明の実施例１に係る目標検出装置で実行される極大値抽出処理を説明するための図である。
【図６】本発明の実施例１に係る目標検出装置の変形例の構成を示すブロック図である。
【図７】本発明の実施例２に係る目標検出装置の構成を示すブロック図である。
【図８】本発明の実施例２に係る目標検出装置で行われる重心距離演算処理を説明するための図である。
【図９】従来の目標検出装置の構成を説明するための図である。
【図１０】図９に示すＣＦＡＲ部の詳細な構成を示すブロック図である。
【符号の説明】
【００４３】
１  ＳＴＦＴ部
２  極大値抽出部
３  積分部
４  ＣＦＡＲ部
５  検出部
７  重心距離演算部
８  強調部
【図１】
2008256409.tif 000004
【図２】
2008256409.tif 000005
【図３】
2008256409.tif 000006
【図４】
2008256409.tif 000007
【図５】
2008256409.tif 000008
【図６】
2008256409.tif 000009
【図７】
2008256409.tif 000010
【図８】
2008256409.tif 000011
【図９】
2008256409.tif 000012
【図１０】
2008256409.tif 000013